【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
海水を処理する方法であって、
塩化物イオン及びホウ素含有化合物を含有する海水を、電動分離装置の第１の区画及び隣接する第２の区画に導入し、ここで、前記第１の区画及び前記第２の区画は、共に、樹脂床と出口とを具備し；
前記第１の区画から前記第２の区画への前記海水中の前記塩化物イオンの移動を促進し；
前記第１の区画において前記海水中の前記ホウ素含有化合物の少なくとも一部のイオン化を促進し；
前記第１の区画の前記樹脂床に前記イオン化ホウ素含有化合物の少なくとも一部を吸着し；
前記第１の区画の前記出口で処理済水を回収し；そして、
前記電動分離装置に流される電流の極性を反転して、前記樹脂床からホウ素含有化合物を解放することによって、前記第２の区画中の樹脂床にイオン化ホウ素含有化合物を吸着させ、前記第１の区画内の前記樹脂床を再生する；ことを含んでなる方法。
【請求項２】
極性の反転のステップに先立って、前記第２の区画の前記第２の樹脂床に結合されたホウ素含有化合物の少なくとも一部を解放することを更に含んでなる請求項１に記載の方法。
【請求項３】
極性の反転のステップに先立って、前記第２の区画の前記出口でホウ素含有流れを回収することを更に含んでなる請求項２に記載の方法。
【請求項４】
前記処理済水のｐＨレベルを調整することを更に含んでなる請求項３に記載の方法。
【請求項５】
前記処理済水中のホウ素濃度を監視することを更に含んでなる請求項１に記載の方法。
【請求項６】
極性を反転させるステップが前記処理済水中の所定のレベルを超えるホウ酸濃度の検出に応答して起きる請求項５に記載の方法。
【請求項７】
前記所定のレベルが１ｐｐｍである請求項６に記載の方法。
【請求項８】
前記電動分離装置の第３の区画に処理済水を送ることを更に含んでなる請求項１に記載の方法。
【請求項９】
前記処理済水のｐＨレベルを監視することを更に含んでなり、極性を反転させるステップが前記処理済水の所定のレベルを超えるｐＨレベルの検出に応答して起きる請求項１に記載の方法。
【請求項１０】
電気脱イオン化装置を運転する方法であって、
前記電気脱イオン化装置の第１の区画及び隣接する第２の区画にホウ素含有化合物を含有するプロセス水を導入し、ここで、前記第１の区画及び前記第２の区画は、共に、樹脂床と出口とを具備し；
前記第１の区画における塩基性ｐＨ条件を促進し、
前記第１の区画に隣接する前記電気脱イオン化装置の第２の区画における酸性ｐＨ条件を促進し；
前記第１の区画内の前記樹脂床にホウ酸塩イオンを吸着し；
前記第１の区画の前記出口で処理済水を回収し；
前記第２の区画の前記出口でホウ素含有流を回収し；そして、
前記電動分離装置に流される電流の極性を反転して、前記樹脂床からホウ素含有化合物を解放することによって、前記第２の区画中の樹脂床にイオン化ホウ素含有化合物を吸着させ、前記第１の区画内の前記樹脂床を再生する；ことを含んでなる方法。
【請求項１１】
前記処理済水中のホウ素濃度を監視することを更に含んでなる請求項１０に記載の方法。
【請求項１２】
極性を反転させるステップが検出ホウ素濃度に応答して起きる請求項１１に記載の方法。
【請求項１３】
前記処理済水のｐＨレベルを調整することを更に含んでなる請求項１０に記載の方法。
【請求項１４】
ホウ素含有流を回収するステップが、前記第２の区画内の前記樹脂床からホウ素含有化合物を解放することを含んでなる請求項１０に記載の方法。
【請求項１５】
ホウ酸塩イオンに対して選択的なホウ素選択的樹脂床を収容した第１の区画を具備する電動分離装置を備えている水処理システム。
【請求項１６】
前記電動分離装置が、海水中のホウ素濃度を０．５〜１ｐｐｍのレベルまで減少させるように、構成され配置されている、請求項１５に記載のシステム。
【請求項１７】
前記電動分離装置の前記第１の区画が、第１の陰イオン選択膜及び第１の陽イオン選択膜によって、少なくとも部分的に、区分されている、請求項１６に記載のシステム。
【請求項１８】
前記電動分離装置が、第１の陰イオン選択膜及び第２の陽イオン選択性によって、少なくとも部分的に、区分されている第２の区画を、更に備えてなる、請求項１７に記載のシステム。
【請求項１９】
前記樹脂床の下流に流体的に連通するように配置され前記電動分離装置からの前記処理済水中のホウ素濃度を表わす測定信号を送り出すように構成されたセンサを、更に備えてなる、請求項１５に記載のシステム。
【請求項２０】
前記センサと通じていて、前記測定信号に少なくとも部分的に基づいて、前記電動分離装置に付随した電源に対する制御信号を、生じるように構成された制御装置を更に備えてなる、請求項１９に記載のシステム。
【請求項２１】
前記第１の区画における前記樹脂床の組成が、前記電動分離装置の前記第１の区画を通る流体流路に沿って実質的に均一である、請求項１５に記載のシステム。
【請求項２２】
溶解種と少なくとも１つの標的種を有する海水を処理する方法であって、海水源から海水の第１の部分を電動分離装置の減少区画に導入し、ここで、減少区画は、陰イオン透過膜と第１の陽イオン透過膜との間に配置された標的種吸着媒体を有しており；
前記海水源から海水の第２の部分を前記電動分離装置の濃縮区画に導入し、ここで、前記濃縮区画は、前記陰イオン透過膜と第２の陽イオン透過膜の間に配置された標的種吸着媒体を有しており；
前記少なくとも１つの標的種の少なくとも一部をより好ましいイオン状態に転換しつつ、前記溶解種の少なくとも一部の前記濃縮区画への輸送を促進する；ことを含んでなる
方法。
【請求項２３】
前記電動分離装置の中和区画において前記減少区画からの水の少なくとも一部のｐＨを調整し、ここで、前記中和区画は、前記第２の陽イオン透過膜及び前記第３の陽イオン透過膜によって少なくとも部分的に区分されている；
ことを更に含んでなる、請求項２２に記載の方法。
【請求項２４】
前記溶解種の少なくとも一部の前記濃縮区画への輸送を促進することが、前記減少区画及び濃縮区画に電流を流すことを含んでなる、請求項２２に記載の方法。
【請求項２５】
電流を流すことによって前記電動分離装置の少なくとも１つの区画における水の分極が促進されてヒドロニウムイオンが生成され、前記減少区画からの水の少なくとも一部のｐＨを調整することが、前記ヒドロニウムイオンの少なくとも一部の前記中和区画への輸送を促進することを含んでなる、請求項２４に記載の方法。
【請求項２６】
電流を流すことが、前記減少区画内の海水のｐＨを少なくとも９．２単位まで上昇させるのに十分な電流を通すことを含んでなる、請求項２５に記載の方法。
【請求項２７】
前記中和区画が電気活性媒体を備えない、請求項２６に記載の方法。
【請求項２８】
電動分離装置であって、
第１の陽イオン選択膜及び第１の陰イオン選択膜によって少なくとも部分的に区分された第１の区画；
前記第１の陰イオン選択膜及び第２の陽イオン選択膜によって少なくとも部分的に区分された第２の区画；並びに
前記第１及び第２の区画の少なくとも一方に配置されたホウ素選択性電気活性媒体；を備えてなる、
電動分離装置。
【請求項２９】
前記第２の陽イオン選択膜によって少なくとも部分的に区分された第３の区画を更に備える、請求項２８に記載の装置。
【請求項３０】
前記第３の区画が少なくとも部分的に双極膜によって区分されている、請求項２９に記載の装置。
【請求項３１】
前記第１の区画の出口が前記第３の区画の入口に流体的に接続されている、請求項２９に記載の装置。
【請求項３２】
前記電動分離装置の出口が飲用ユースポイントに流体的に接続されている、請求項２８に記載の装置。
【請求項３３】
前記電気活性媒体がシスジオール官能基を含有してなる、請求項２８に記載の装置。
【請求項３４】
前記第３の区画が、電気活性媒体を実質的に有しない、請求項２９に記載の装置。
【請求項３５】
前記電動分離装置の下流に、逆浸透膜が流体的に接続されていない、請求項２８に記載の装置。
【請求項３６】
前記電動分離装置の下流に樹脂床が流体的に接続されていない、請求項２８に記載の装置。
【請求項３７】
前記樹脂床の下流に流体的に連通して配置されて前記電動分離装置からの前記処理済水におけるホウ素濃度を表わす測定信号を送り出すように構成されたセンサを更に備える、請求項２８に記載の装置。
【請求項３８】
前記測定信号に検出ｐＨレベルが含まれる、請求項３７に記載の装置。
【請求項３９】
前記センサに通じていて、前記測定信号に少なくとも部分的に基づいて、前記電動分離装置に付随した電源に対する制御信号を生じるように構成された制御装置を更に備える、請求項３７に記載の装置。
【請求項４０】
前記電気活性媒体がＮ−メチルグルカミン官能基を含有してなる、請求項３３に記載の装置。